(57)【要約】  このエレベータのかご室は、かご床側から換気穴（２３）、かご床締結穴（２６）を通じて締付けたネジ部材（２７）により、パネル（１０）の起立端部（２１）は、かご床（４）の起立部（７）に固定されるので、作業者は、かご室の内側からパネルをかご床に組み立てることができ、パネルのかご床に対する組立作業性が向上する。
2016006063.tif 000002
【特許請求の範囲】
【請求項１】
各辺の縁部が起立した起立部を有するかご床と、
各前記起立部に下端部が締結部材により固定される複数のパネルから構成された側壁と、を備えたエレベータのかご室であって、
前記下端部は、外側にＬ字状に折曲された起立端部と、この起立端部に対向した対向面部とからなり、
前記起立端部は、頭部を前記対向面部に向けて前記締結部材が遊挿される締結部材通し穴、及びこの締結部材通し穴から上方向に延びたかご床締結穴を有し、
前記対向面部は、前記かご床締結穴と対向した穴を有し、
前記かご床側から前記穴、前記かご床締結穴を通じて締付けた前記締結部材により、前記起立端部は、前記起立部に固定されているエレベータのかご室。
【請求項２】
前記パネルは、両側に上下方向に延び、それぞれ外側にＬ字状に折曲された、第１の折曲部及び第２の折曲部を有し、
前記第１の折曲部は、挿入孔部、及び前記挿入孔部から連続的に垂直方向に延びて形成され前記挿入孔部の径よりも幅の小さいスリット部を有する係合孔を有し、
前記第２の折曲部には、前記挿入孔部の前記径よりも径が小さく、前記スリット部よりも径が大きい突出部を有する係合突起部材が設けられており、
隣接した前記パネル同士は、前記突出部が前記スリット部を介して前記第１の折曲部を挟むことで連結されている請求項１に記載のエレベータのかご室。
【請求項３】
前記係合孔は、前記スリット部の上側及び下側にそれぞれ前記挿入孔部が設けられている請求項２に記載のエレベータのかご室。
【請求項４】
前記締結部材は、全長が前記起立端部と前記対向面部との間の距離よりも長く、かつ前記かご床から水平方向に前記穴を通じて前記締結部材の前記頭部を視たときに、前記頭部が部分的に隠れている請求項１〜３の何れか１項に記載のエレベータのかご室。
【請求項５】
前記穴は、外気と通じる換気穴である請求項１〜４の何れか１項に記載のエレベータのかご室。
【請求項６】
請求項１に記載のエレベータのかご室を組み立てる、エレベータのかご室の組立方法であって、
前記締結部材を前記かご床の前記起立部に仮締めする工程と、
前記締結部材に前記起立端部の前記締結部材通し穴を遊挿し、前記締結部材に前記締結部材通し穴の上側端面を当接する工程と、
隣接した前記パネル側に向かって、前記パネルを前記上側端面に沿って前記かご床締結穴が前記締結部材の直上に達するまで移動させる工程と、
前記パネルが前記かご床締結穴に沿って下方向に移動し、前記締結部材の前記頭部が前記穴に臨む工程と、
前記穴、前記かご床締結穴を通じて前記締結部材を本締めすることで前記起立端部を前記起立部に固定する工程と、を備えたエレベータのかご室の組立方法。
【請求項７】
請求項２に記載のエレベータのかご室を組み立てる、エレベータのかご室の組立方法であって、
前記締結部材を前記かご床の前記起立部に仮締めする工程と、
前記締結部材に前記起立端部の前記締結部材通し穴を遊挿し、前記締結部材に前記締結部材通し穴の上側端面を当接する工程と、
隣接した前記パネル側に向かって、前記パネルを前記上側端面に沿って前記かご床締結穴が前記締結部材の直上に達するまで移動させる工程と、
前記パネルが前記かご床締結穴に沿って下方向に移動し、前記締結部材の前記頭部が前記穴に臨む工程と、
前記穴、前記かご床締結穴を通じて前記締結部材を本締めすることで前記起立端部を前記起立部に固定する工程と、を備え、
前記締結部材が前記締結部材通し穴の前記上側端面に当接したときには、前記突出部が前記挿入孔部と対面し、前記締結部材の前記頭部が前記穴に臨んだときには、前記突出部が前記スリット部を介して前記第１の折曲部を挟んでいるエレベータのかご室の組立方法。
【発明の詳細な説明】
【技術分野】
【０００１】
この発明は、かご床の周縁部に複数のパネルが固定されて側壁が形成されるエレベータのかご室、及びその組立方法に関する。
【背景技術】
【０００２】
従来、下端部に切り欠き部に有するカーパネルを下方向に移動させ、切り欠き部をプラットフォームに側端に仮止めされたボルトに当接させた後、ボルトを締付けることで、カーパネルをプラットフォームに固定したエレベータかご室が知られている（例えば、特許文献１参照）。
【先行技術文献】
【特許文献】
【０００３】
【特許文献１】特開平８‐３１０７７３号公報（図１及び図６）
【発明の概要】
【発明が解決しようとする課題】
【０００４】
しかしながら、このエレベータかご室の場合、かご室内でボルトの締付け作業を行う場合、作業者は、昇降路側に身を乗り出して作業をしなければならず、かご室の組立作業性が悪いという問題点があった。【０００５】
この発明は、かかる問題点を解決することを課題とするものであって、かご室の内側からパネルをかご床に組み立てることができ、組立作業性が向上したエレベータのかご室、及びその組立方法を得ることを目的とする。
【課題を解決するための手段】
【０００６】
この発明に係るエレベータのかご室は、
各辺の縁部が起立した起立部を有するかご床と、
各前記起立部に下端部が締結部材により固定される複数のパネルから構成された側壁と、を備えたエレベータのかご室であって、
前記下端部は、外側にＬ字状に折曲された起立端部と、この起立端部に対向した対向面部とからなり、
前記起立端部は、頭部を前記対向面部に向けた締結部材が遊挿される締結部材通し穴、及びこの締結部材通し穴から上方向に延びたかご床締結穴を有し、
前記対向面部は、前記かご床締結穴と対向した穴を有し、
前記かご床側から前記穴、前記かご床締結穴を通じて締付けた前記締結部材により、前記起立端部は、前記起立部に固定される。【０００７】
また、この発明に係るエレベータのかご室の組立方法は、
締結部材をかご床の起立部に仮締めする工程と、
前記締結部材に起立端部の締結部材通し穴を遊挿し、前記締結部材に前記締結部材通し穴の上側端面を当接する工程と、
隣接したパネル側に向かって、前記パネルを前記上側端面に沿ってかご床締結穴が前記締結部材の直上に達するまで移動させる工程と、
前記パネルが前記かご床締結穴に沿って下方向に移動し、前記締結部材の頭部が起立端部に対向した対向面部に形成された穴に臨む工程と、
前記穴、前記かご床締結穴を通じて前記締結部材を本締めすることで前記起立端部を前記起立部に固定する工程と、を備えている。【０００８】
また、この発明に係るエレベータのかご室の組立方法は、
締結部材をかご床の前記起立部に仮締めする工程と、
前記締結部材に起立端部の締結部材通し穴を遊挿し、前記締結部材に前記締結部材通し穴の上側端面を当接する工程と、
隣接したパネル側に向かって、前記パネルを前記上側端面に沿って前記かご床締結穴が前記締結部材の直上に達するまで移動させる工程と、
前記パネルが前記かご床締結穴に沿って下方向に移動し、前記締結部材の頭部が前記起立端部に対向した対向面部に形成された穴に臨む工程と、
前記穴、前記かご床締結穴を通じて前記締結部材を本締めすることで前記起立端部を前記起立部に固定する工程と、を備え、
前記締結部材が前記締結部材通し穴の前記上側端面に当接したときには、前記突出部が前記挿入孔部と対面し、前記締結部材の前記頭部が前記穴に臨んだときには、前記突出部が前記スリット部を介して前記第１の折曲部を挟んでいる。
【発明の効果】
【０００９】
この発明に係るエレベータのかご室によれば、かご床側から穴、かご床締結穴を通じて締付けた締結部材により、起立端部は、起立部に固定されるので、作業者は、かご室の内側から組み立てることができ、パネルのかご床に対する組立作業性が向上する。【００１０】
また、この発明に係るエレベータのかご室の組立方法によれば、最初にかご床の起立部に仮締めされた締結部材を、その後穴、かご床締結穴を通じて本締めし、起立端部を起立部に固定するので、パネルのかご床に対する組立作業性が向上する。【００１１】
また、この発明に係るエレベータのかご室の組立方法によれば、締結部材が締結部材通し穴の上側端面に当接したときには、突出部が挿入孔部と対面し、前記締結部材の頭部が対向面部に形成された穴に臨んだときには、前記突出部がスリット部を介して第１の折曲部を挟んでいるので、パネルの起立端部がかご床の起立部に固定された際には、併せて隣接したパネル同士も連結され、側壁の組立作業性が向上する。
【図面の簡単な説明】
【００１２】
【図１】この発明の実施の形態１のエレベータのかご室を有するかごを示す全体斜視図である。
【図２】図１のかごのかご室を示す部分斜視図である。
【図３】図２のパネルをかご室の内側から視たときの全体斜視図である。
【図４】図２のパネルをかご室の外側から視たときの全体斜視図である。
【図５】図３の係合孔を示す正面図である。
【図６】図３の係合突起部材を示す正面図である。
【図７】図２のＶＩＩ‐ＶＩＩ線に沿った矢視断面図である。
【図８】図７の部分正面図である。
【発明を実施するための形態】
【００１３】
実施の形態１．
図１は、この発明の実施の形態１のエレベータのかご１を示す全体斜視図であり、昇降路２内を昇降するかごは、かごの出入口の戸であるかごドア３と、かご床４と、側壁５と、天井６と、を備えている。
図２は、かごのかご室１を示す部分斜視図である。
矩形上をしたかご床４の三方のそれぞれの縁部は垂直方向に起立した起立部７を有している。かご床４のかごドア３側には、敷居８が設けられている。各起立部７の外側面には、複数のナット９が固定されている。
【００１４】
側壁５は、図３及び図４に示す複数のパネル１０で構成されている。
各パネル１０は、両側に上下方向に延びた、第１の折曲部１１及び第２の折曲部１２が、かご室の外側にＬ字状に折曲されて形成されている。
第１の折曲部１１には、複数の係合孔１３が形成されている。第２の折曲部１２には、それぞれ係合孔１３に対向して係合突起部材１４が設けられている。
係合孔１３は、図５に示すように、互いに離れた２個の挿入孔部１５ａ，１５ｂと、この挿入孔部１５ａ，１５ｂを繋ぐ、挿入孔部１５ａ，１５ｂの径よりも小さい幅のスリット部１６と、を有している。
【００１５】
図６は、係合突起部材１４を示す平面図であり、この係合突起部材１４は、第２の折曲部１２にカシメにより固定された固定部１７と、第２の折曲部１２から外側に突出した突出部１８とから構成されている。突出部１８は、係合孔１３の挿入孔部１５ａ，１５ｂの径よりも小さく、かつスリット部１６の幅よりも大きい。また、突出部１８は、スリット部１６の幅より小さい段差部１９を有している。
【００１６】
また、各パネル１０の下端部には、図７に示すように、かご室１の外側にＬ字状に折曲された起立端部２１と、この起立端部２１と並行に起立した内側の対向面部２２と、が形成されている。
対向面部２２には、図８に示すように、円形扁平状の換気穴２３が形成されている。
起立端部２１には、矩形状の締結部材通し穴であるネジ通し穴２５と、このネジ通し穴２５の中間部から垂直上方向に延びたかご床締結穴２６と、を有している。このかご床締結穴２６の先端部は、かご床４から換気穴２３を通して水平方向に視たときに換気穴２３から上側に超えて延びている。
【００１７】
かご室１の組立においては、かご床４にパネル１０を固定する際には、途中、締結部材であるネジ２７は、頭部２９が対向面部２２側に向いて起立部７に仮締めされる。
このネジ２７の仮止めの際に、ねじ２７がネジ通し穴２５の上側端面２５ａに当接したときには、係合突起部材１４の突出部１８は隣接したパネル１０の係合孔１３の挿入孔部１５ａと対面している。
また、パネル１０の下方向の移動に伴いネジ２７の頭部２９が、換気穴２３に臨んだときには、係合突起部材１４の突出部１８がスリット部１６を介して第１の折曲部１１を挟むようになっている。
【００１８】
次に、図２において、かご床４の隅部に既に一対パネル１０がネジ２７を用いて固定された状態から、引き続きパネル１０をかご床４に組み立てる手順について説明する。
先ず、かご床４の起立部７に固定された各ナット９に、頭部２９を対向面部２２側に向けてネジ２７を仮止めする。
【００１９】
この後、このネジ２７にパネル１０のネジ通し部２５を遊挿し、パネル１０をかご床締結穴２６の上側端面２５ａで係止する。このとき、係合突起部材１４の突出部１８の中心軸線と隣接したパネル１０の係合孔１３の挿入孔部１５ａの中心軸線とは一致している。
引き続き、パネル１０を隣接したパネル１０側に移動させ、突出部１８を挿入孔部１５ａに挿入し、第２の折曲部１２と隣接したパネル１０の第１の折曲部１１とが面接触したときには、移動したパネル１０は、ネジ２７の直上にネジ床締結穴２６が位置している。
その後、パネル１０は、自重により下方向に移動し、パネル１０の底面がかご床４の上面に面接触する。
この面接触のとき、ネジ２７の頭部２９は、換気穴２３に臨んでいる。
【００２０】
また、パネル１０の下方向の移動に伴い、係合突起部材１４の突出部１８は、係合孔１３のスリット部１６に位置しており、隣接したパネル１０同士は連結される。
この後、換気穴２３から工具３０を差込み、ナット９に仮締めされたネジ２７を本締めして、パネル１０をかご床４に固定する。
順次、かご室１の内側から上述した作業を繰り返すことで、かご床４に固定された側壁５が形成される。
【００２１】
最後に、パネル１０の上側端部に固定された複数の天井締結用ナット３１にボルト３２を締結することで、天井６は側壁５の上側端部に固定され、かご室１が形成される。
なお、ネジ２７の全長は、パネル１０の起立端部２１と対向面部２２との間の距離（図７のＸ）よりも長く、またネジ２７の頭部２９の径寸法は、換気穴２３の垂直方向の寸法よりも大きい。
【００２２】
この実施の形態によるエレベータのかご室１によれば、かご床４側から換気穴２３、かご床締結穴２６を通じて締付けたネジ２７により、パネル１０の起立端部２１は、かご床４の起立部７に固定されるので、パネル１０のかご床４に対する組立作業は、作業者が昇降路２側に身を乗り出して作業を行う必要性はなく、かご室１の内側から行うことができ、パネル１０の組立作業性が向上する。
【００２３】
また、第１の折曲部１１は、挿入孔部１５ａ，１５ｂ、及び挿入孔部１５ａ，１５ｂから連続的に垂直方向に延びて形成され挿入孔部１５ａ，１５ｂの径よりも幅の小さいスリット部１６を有する係合孔１３を有し、第２の折曲部１２には、挿入孔部１５ａ，１５ｂの径よりも径が小さく、スリット部１６よりも径が大きい突出部１８を有する係合突起部材１４が設けられており、隣接したパネル１０同士は、突出部１８がスリット部１６を介して第１の折曲部１１を挟むことで連結されている。
従って、隣接したパネル１０同士も、簡単、確実に連結することができる。
【００２４】
また、係合孔１３は、スリット部１６の上側及び下側にそれぞれ挿入孔部１５ａ，１５ｂが設けられている。
従って、かご床４にパネル１０を固定する際には、上側の挿入孔部１５ａに突出部１８が挿入されるが、かご床４からパネル１０を取り外すときには、かご床４からパネル１０を持ち上げ、下側の挿入孔部１５ｂから突出部１８を挿出されるので、隣接したパネル１０同士の連結作業、及びその解除作業は円滑に行くことができる。
【００２５】
また、ネジ２７は、全長が起立端部２１と対向面部２２との間の距離よりも長く、かつかご床４から水平方向に換気穴２３を通じてねじ２７の頭部２９を視たときに、頭部２９が部分的に隠れている。
従って、悪戯等でかご室１内から工具３０を用いてネジ２７を緩めることができても対向面部２２までしか緩めることができず、ネジ２７を完全にパネル１０から取り外すことができないので、悪戯によるネジ２７の取り外しを防止することができる。また、経時的にネジ２７が緩んだ場合でも、ネジ２７がかご床４、パネル１０から外れることはない。
【００２６】
また、最初にかご床４の起立部７に仮締めされたネジ２７を、その後換気穴２３、かご床締結穴２６を通じて本締めし、起立端部２１を起立部７に固定するので、パネル１０のかご床４に対する組立作業性が向上する。
【００２７】
また、ネジ２７がねじ通し穴２５の上側端面２５ａに当接したときには、突出部１８が挿入孔部１５ａと対面し、ネジ２７の頭部２９が対向面部２２に形成された換気穴２３に臨んだときには、突出部１８がスリット部１６を介して第１の折曲部１１を挟んでいるので、パネル１０の起立端部２１がかご床４の起立部７に固定された際には、併せて隣接したパネル１０同士も連結され、側壁５の組立作業性が向上する。
【００２８】
なお、上記実施の形態では、外気と通じた換気穴２３を利用してかご床４にパネル１０を固定したが、パネル１０の下部に形成された他の用途の穴であっても、この穴を利用してかご床４にパネル１０を固定することができる。
また、締結部材としてネジ２７を用いたが、ネジ２７に限定されるものではなく、ネジ以外の締結部材であってもよいのは勿論である。
【符号の説明】
【００２９】
１  かご室、２  昇降路、３  かごドア、４  かご床、５  側壁、６  天井、７  起立部、８  敷居、９  ナット、１０  パネル、１１  第１の折曲部、１２  第２の折曲部、１３  係合孔、１４  係合突起部材、１５ａ，１５ｂ  挿入孔部、１６  スリット部、１７  固定部、１８  突出部、１９  段差部、２１  起立端部、２２  対向面部、２３  換気穴、２５  ネジ通し穴（締結部材通し穴）、２５ａ  上側端面、２７  ネジ、２９  頭部、３０  工具、３１  天井締結用ナット、３２  ボルト。
【図１】
2016006063.tif 000003
【図２】
2016006063.tif 000004
【図３】
2016006063.tif 000005
【図４】
2016006063.tif 000006
【図５】
2016006063.tif 000007
【図６】
2016006063.tif 000008
【図７】
2016006063.tif 000009
【図８】
2016006063.tif 000010
【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
各辺の縁部が起立した起立部を有するかご床と、
各前記起立部に下端部が締結部材により固定される複数のパネルから構成された側壁と、を備えたエレベータのかご室であって、
前記下端部は、外側にＬ字状に折曲された起立端部と、この起立端部に対向した対向面部とからなり、
前記起立端部は、頭部を前記対向面部に向けて前記締結部材が遊挿される締結部材通し穴、及びこの締結部材通し穴から上方向に延びたかご床締結穴を有し、
前記対向面部は、前記かご床締結穴と対向した穴を有し、
前記かご床側から前記穴、前記かご床締結穴を通じて締付けた前記締結部材により、前記起立端部は、前記起立部に固定されているエレベータのかご室。
【請求項２】
前記パネルは、両側に上下方向に延び、それぞれ外側にＬ字状に折曲された、第１の折曲部及び第２の折曲部を有し、
前記第１の折曲部は、挿入孔部、及び前記挿入孔部から連続的に垂直方向に延びて形成され前記挿入孔部の径よりも幅の小さいスリット部を有する係合孔を有し、
前記第２の折曲部には、前記挿入孔部の前記径よりも径が小さく、前記スリット部よりも径が大きい突出部を有する係合突起部材が設けられており、
隣接した前記パネル同士は、前記突出部が前記スリット部を介して前記第１の折曲部を挟むことで連結されている請求項１に記載のエレベータのかご室。
【請求項３】
前記突出部は、段差部を有している請求項２に記載のエレベータのかご室。
【請求項４】
前記係合孔は、前記スリット部の上側及び下側にそれぞれ前記挿入孔部が設けられている請求項２又は請求項３に記載のエレベータのかご室。
【請求項５】
前記締結部材は、全長が前記起立端部と前記対向面部との間の距離よりも長く、かつ前記かご床から水平方向に前記穴を通じて前記締結部材の前記頭部を視たときに、前記頭部が部分的に隠れている請求項１〜４の何れか１項に記載のエレベータのかご室。
【請求項６】
前記穴は、外気と通じる換気穴である請求項１〜５の何れか１項に記載のエレベータのかご室。
【請求項７】
請求項１に記載のエレベータのかご室を組み立てる、エレベータのかご室の組立方法であって、
前記締結部材を前記かご床の前記起立部に仮締めする工程と、
前記締結部材に前記起立端部の前記締結部材通し穴を遊挿し、前記締結部材に前記締結部材通し穴の上側端面を当接する工程と、
隣接した前記パネル側に向かって、前記パネルを前記上側端面に沿って前記かご床締結穴が前記締結部材の直上に達するまで移動させる工程と、
前記パネルが前記かご床締結穴に沿って下方向に移動し、前記締結部材の前記頭部が前記穴に臨む工程と、
前記穴、前記かご床締結穴を通じて前記締結部材を本締めすることで前記起立端部を前記起立部に固定する工程と、を備えたエレベータのかご室の組立方法。
【請求項８】
請求項２に記載のエレベータのかご室を組み立てる、エレベータのかご室の組立方法であって、
前記締結部材を前記かご床の前記起立部に仮締めする工程と、
前記締結部材に前記起立端部の前記締結部材通し穴を遊挿し、前記締結部材に前記締結部材通し穴の上側端面を当接する工程と、
隣接した前記パネル側に向かって、前記パネルを前記上側端面に沿って前記かご床締結穴が前記締結部材の直上に達するまで移動させる工程と、
前記パネルが前記かご床締結穴に沿って下方向に移動し、前記締結部材の前記頭部が前記穴に臨む工程と、
前記穴、前記かご床締結穴を通じて前記締結部材を本締めすることで前記起立端部を前記起立部に固定する工程と、を備え、
前記締結部材が前記締結部材通し穴の前記上側端面に当接したときには、前記突出部が前記挿入孔部と対面し、前記締結部材の前記頭部が前記穴に臨んだときには、前記突出部が前記スリット部を介して前記第１の折曲部を挟んでいるエレベータのかご室の組立方法。
【国際調査報告】
2016006063.tif 000011
2016006063.tif 000012
2016006063.tif 000013
2016006063.tif 000014